(57)【要約】【課題】  記録媒体に記録されているオーディオデータに基く再生音の音質を、室内の音響特性に応じて自動的に適正にすること。【解決手段】  ＣＤ２１から読み取ったオーディオデータに基く再生音の音質を、イコライジング特性データに基いて調整するＤＳＰ４を備えた音質調整装置において、コントローラ１１のＣＰＵは、ＣＤ２１に、再生するオーディオデータに対応する適正イコライジング特性データ２１Ａが記録されているか否かを判断し、適正イコライジング特性データ２１Ａが記録されている場合、ＣＤ２１から読み取った適正イコライジング特性データ２１Ａと実際に再生音が出力される室内の室内音響特性データとに基いて、補正用イコライジング特性データを算出し、この補正用イコライジング特性データをＤＳＰ４に出力する。【選択図】      図１
2005341186.tif 000002
【特許請求の範囲】
【請求項１】
記録媒体から読み取ったオーディオデータに基く再生音の音質を、イコライジング特性データに基いて調整する調整手段を備えた音質調整装置において、
前記記録媒体に、再生するオーディオデータに対応する適正イコライジング特性データが記録されているか否かを判断する判断手段と、
前記適正イコライジング特性データが記録されている場合、当該記録媒体から読み取った前記適正イコライジング特性データと実際に再生音が出力される室内の室内音響特性データとに基いて、前記イコライジング特性データを算出する算出手段とを備えたことを特徴とする音質調整装置。
【請求項２】
請求項１に記載の音質調整装置において、
前記算出手段は、
前記イコライジング特性データを、前記適正イコライジング特性データと前記室内音響特性データとの差分により算出することを特徴とする音質調整装置。
【請求項３】
記録媒体から読み取ったオーディオデータに基く再生音の音質を、イコライジング特性データに基いて調整する音質調整装置の制御方法において、
前記記録媒体に、再生するオーディオデータに対応する適正イコライジング特性データが記録されているか否かを判断する第１の過程と、
前記適正イコライジング特性データが記録されている場合、当該記録媒体から読み取った前記適正イコライジング特性データと実際に再生音が出力される室内の室内音響特性データとに基いて、前記イコライジング特性データを算出する第２の過程とを備えたことを特徴とする音質調整装置の制御方法。
【請求項４】
記録媒体から読み取ったオーディオデータに基く再生音の音質を、イコライジング特性データに基いて調整する調整手段を備えた音質調整装置を、コンピュータにより制御するための制御プログラムであって、
前記記録媒体に、再生するオーディオデータに対応する適正イコライジング特性データが記録されているか否かを判断させ、
前記適正イコライジング特性データが記録されている場合、当該記録媒体から読み取った前記適正イコライジング特性データと実際に再生音が出力される室内の室内音響特性データとに基いて、前記イコライジング特性データを算出させることを特徴とする制御プログラム。
【請求項５】
請求項４に記載の制御プログラムを記録したことを特徴とするコンピュータ読取可能な記録媒体。
【発明の詳細な説明】
【技術分野】
【０００１】
イコライジング特性データに基いて音質を調整する音質調整装置、音質調整装置の制御方法、制御プログラム及び記録媒体に関する。
【背景技術】
【０００２】
従来、ＣＤ（Compact Disc）等の記録媒体に記録されているオーディオデータに基いて再生する再生音の音質を、イコライジング特性データに基いて調整する音質調整装置を備え、スピーカにより再生音を出力するオーディオ装置が一般的に知られている。
【０００３】
この種の音質調整装置において、音楽の種類等を示す音楽パターンに対応して自動的に音質を調整するものがある（例えば、特許文献１参照）。
【特許文献１】特開平７−５８５６６号公報
【発明の開示】
【発明が解決しようとする課題】
【０００４】
ところで、上記音質調整装置を備えたオーディオ装置のスピーカは、車室内等、各種室内に設置されるものであり、スピーカが設置される室内（例えば、車室内）の音響特性に応じて、ユーザが聴き取る再生音の音質が異なるものとなってしまう。
【０００５】
従って、音楽パターンに応じて音質を調整したとしても、この調整だけでは、最適な音質が得られるとは限らず、このように室内に適した音質が得られない場合には、ユーザの操作により音質の調整を行わなければならず、操作が煩わしいという問題がある。
【０００６】
そこで、本発明の目的は、上述した従来の技術が有する課題を解消し、室内に応じて自動的に音質を適正にすることができる音質調整装置、音質調整装置の制御方法、制御プログラム及び記録媒体を提供することにある。
【課題を解決するための手段】
【０００７】
上記課題を解決するため、本発明は、記録媒体から読み取ったオーディオデータに基く再生音の音質を、イコライジング特性データに基いて調整する調整手段を備えた音質調整装置において、前記記録媒体に、再生するオーディオデータに対応する適正イコライジング特性データが記録されているか否かを判断する判断手段と、前記適正イコライジング特性データが記録されている場合、当該記録媒体から読み取った前記適正イコライジング特性データと実際に再生音が出力される室内の室内音響特性データとに基いて、前記イコライジング特性データを算出する算出手段とを備えたことを特徴とするものである。
【０００８】
この音質調整装置において、前記算出手段は、前記イコライジング特性データを、前記適正イコライジング特性データと前記室内音響特性データとの差分により算出するようにしてもよい。
【０００９】
また、記録媒体から読み取ったオーディオデータに基く再生音の音質を、イコライジング特性データに基いて調整する音質調整装置の制御方法において、前記記録媒体に、再生するオーディオデータに対応する適正イコライジング特性データが記録されているか否かを判断する第１の過程と、前記適正イコライジング特性データが記録されている場合、当該記録媒体から読み取った前記適正イコライジング特性データと実際に再生音が出力される室内の室内音響特性データとに基いて、前記イコライジング特性データを算出する第２の過程とを備えたことを特徴とするものである。
【００１０】
また、記録媒体から読み取ったオーディオデータに基く再生音の音質を、イコライジング特性データに基いて調整する調整手段を備えた音質調整装置を、コンピュータにより制御するための制御プログラムであって、前記記録媒体に、再生するオーディオデータに対応する適正イコライジング特性データが記録されているか否かを判断させ、前記適正イコライジング特性データが記録されている場合、当該記録媒体から読み取った前記適正イコライジング特性データと実際に再生音が出力される室内の室内音響特性データとに基いて、前記イコライジング特性データを算出させることを特徴とするものである。
【００１１】
また、コンピュータ読取可能な記録媒体が、上記制御プログラムを記録したことを特徴とするものである。
【発明の効果】
【００１２】
本発明によれば、記録媒体に記録されているオーディオデータに基く再生音の音質を、室内の音響特性に応じて自動的に適正にすることができる。
【発明を実施するための最良の形態】
【００１３】
以下、本発明の一実施形態を図面を参照して説明する。本実施形態では、音質調整装置を備えたオーディオ装置の一態様として、車両等に搭載される車載オーディオ装置について例示する。図１は、本実施形態に係る車載オーディオ装置１の機能的構成を示すブロック図である。
【００１４】
車載オーディオ装置１は、再生する音の周波数帯域をハイレンジ、ミドルレンジ、ロウレンジ及びサブウーファの４つに分類し、さらに、夫々の周波数帯域の音をステレオ再生可能に構成され、図１に示すように、これらの周波数帯域の信号（再生アナログ信号）の各々を図示しないスピーカに出力するためのアナログ端子出力部８を備えている。
【００１５】
本第１実施形態において、車載オーディオ装置１は、ＤＳＰ（Digital Signal Processor）４及びコントローラ１１を有する音質調整装置２０を備えている。
【００１６】
コントローラ１１は、マイクロコンピュータ等で構成され、ＤＳＰ４を含む車載オーディオ装置１の各部を制御する。具体的に説明すると、コントローラ１１は、音質の調整に用いられるイコライジングカーブを示すイコライジング特性データをＤＳＰ４に出力する。また、このコントローラ１１には、操作キーやボリュームスイッチ等の各種の操作キー及び操作スイッチを備える操作部１２が接続されており、ユーザの操作部１２に対する各種の操作は、コントローラ１１に入力され、この入力に応じてコントローラ１１が処理を実行する。さらにまた、コントローラ１１には、表示パネル（不図示）や、この表示パネルを駆動するためのドライバ回路（不図示）等を備えた表示部１３が接続されており、この表示部１３は、コントローラ１１の制御の下、当該車載オーディオ装置１の動作状態や、再生音楽、受信ラジオチャンネル等の各種情報を表示する。
【００１７】
また、車載オーディオ装置１は、記録媒体としてのＣＤ２１に記録されているデジタルデータ（オーディオデータ等）を読み取り、デジタルインターフェース３を介してＤＳＰ４にデジタル信号を出力する、デジタルオーディオソースとしてのＣＤドライブ２を内蔵している。デジタルインターフェース３は、ＣＤドライブ２とシリアル信号接続されると共にＤＳＰ４とパラレル信号接続され、ＣＤドライブ２からのデジタル信号を、ステレオ再生用のＬチャンネルとＲチャンネルからなる２チャンネルのパラレル信号に変換してＤＳＰ４に出力する。
【００１８】
ＤＳＰ４は、入力された２チャンネルのオーディオデータを示すデジタル信号を、それぞれイコライジング特性データに基いて調整するイコライジング処理を施すとともに、調整したデジタル信号を、上記ハイレンジスピーカ用、ミドルレンジスピーカ用、ロウレンジスピーカ用及びサブウーファ用に、各々２チャンネル（Ｒチャンネル、Ｌチャンネル）の合計８つのデジタル信号を生成し、これら８つのチャンネルの信号の各々に対して、コントローラ１１の制御の下、フィルタリング、アライメント（ディレイ時間）等のサラウンド処理を施し、Ｄ／Ａコンバータ（ＤＡＣ）５に出力する。このＤＳＰ４により、再生される再生音の音質が調整されることとなる。
【００１９】
このＤＳＰ４には、ピーキングイコライザ（Peaking Equalizer）を複数（例えば、Ｒチャンネル及びＬチャンネルに対応してそれぞれ５つずつ）備えたパラメトリックイコライザ（Parametric Equalizer）が備えられており、各ピーキングイコライザにより、入力したイコライジング特性データに基いて各周波数帯域の利得が調整される。
【００２０】
また、ＤＳＰ４には、ハイレンジ用、ミドルレンジ用、ロウレンジ用及びサブウーファ用の４つの周波数帯域ごとに、通過帯域の周波数（カットオフ周波数）や周波数帯域幅（クロスオーバー）、利得を調整するフィルタ回路とが備えられており、各フィルタ回路のパラメータが、再生音の音質補正調整のために調整される。
【００２１】
上記Ｄ／Ａコンバータ５は、ＤＳＰ４から出力された８チャンネル分のデジタル信号の各々を、アナログ信号に変換して電子ボリューム６に出力するものである。電子ボリューム６は、入力された８つのアナログ信号のゲインを、コントローラ１１の制御の下、個別に調整し、ミュート回路７を介してアナログ出力端子部８に出力するものである。
【００２２】
一方、ミュート回路７は、コントローラ１１の制御の下、８つのアナログ信号の全てをミュート（消音）状態とし、或いは、そのままの状態で出力する。すなわち、全チャンネルの消音は、ミュート回路７により行われ、チャンネルごとの個別の音量調整は、電子ボリューム６により行われる。
【００２３】
また、この車載オーディオ装置１は、デジタルオーディオソースの他に、アナログオーディオソースとしてのチューナ９を備えている。このチューナ９は、ラジオ放送等の放送電波を受信してアナログ信号を出力するものであり、このアナログ信号は、セレクタ１０を介してＤＳＰ４に入力される。ＤＳＰ４は、不図示のＡ／Ｄ変換回路を内蔵し、アナログ信号が入力された場合には、これをデジタル信号に変換し、上記のように各種の音場効果を付与した後にＤ／Ａコンバータ５に出力する。上記セレクタ１０は、コントローラ１１の指示の下、ＤＳＰ４に入力すべきアナログオーディオソースの信号を選択するものである。
【００２４】
また、車載オーディオ装置１は、外部機器との間でデータを送受するための端子として、外部機器接続端子１６を備えている。
【００２５】
図２は、コントローラ１１の構成を示すブロック図である。
【００２６】
コントローラ１１は、ＣＰＵ（Central Processing Unit）３０、ＲＡＭ（Random Access Memory）３１及びメモリとしてのＥＥＰＲＯＭ（Electrically Erasable and Programmable ROM）３２を備えており、ＣＰＵ３０は、ＥＥＰＲＯＭ３２に記憶された制御プログラムに従って音質調整装置２０を含む車載オーディオ装置１の動作を中枢的に制御する。ここで、ＥＥＰＲＯＭ３２は、電気的に書き換え可能な不揮発性メモリである。なお、以下、メモリとしてＥＥＰＲＯＭ３２の場合について説明するが、これに限らず、例えばＲＯＭであってもよい。
【００２７】
ＲＡＭ３１は、ＣＰＵ３０によりＥＥＰＲＯＭ３２から読み出された制御プログラムやデータなどを一時的に格納するメモリである。また、ＥＥＰＲＯＭ３２には、上記制御プログラム及び各種データなどが記憶されている。
【００２８】
コントローラ１１のＥＥＰＲＯＭ３２には、予め測定しておいた実際の車室内の室内音響特性データ（以下、「実室内音響特性データ」という）３２Ａが記憶されている（実室内音響特性記憶手段）。つまり、ＥＥＰＲＯＭ３２には、車載オーディオ装置１に接続される不図示のスピーカが設置されている車室内の実室内音響特性データ３２Ａが記憶されている。
【００２９】
この実室内音響特性データ３２Ａは、例えば、不図示のマイクを車室内（例えば、座席等）に設け、不図示の各スピーカから所定の音を出力して、マイクにより集音することで測定される。
【００３０】
また、このコントローラ１１のＥＥＰＲＯＭ３２には、音楽の種類（例えば、音楽のジャンルやレーベル等）を示す音楽種類データに対応した音楽別イコライジング特性データ（以下、「音楽別ＥＱ特性データ」という）を示すテーブルデータ３２Ｂが予め記憶されている（テーブルデータ記憶手段）。なお、音楽のジャンルとしては、例えば、ポップスやジャズ、クラシック、ロック等である。音楽別ＥＱ特性データは、車室内において適した再生音となるように設定されている。
【００３１】
更に、このＥＥＰＲＯＭ３２には、あらゆる種類の音楽に対応して平均値的なイコライジングカーブとなるように設定されたプリセットのイコライジング特性データ（ＥＱ特性データ）３２Ｃが予め記憶されている。
【００３２】
このプリセットのＥＱ特性データ３２Ｃは、例えば、電源投入後のイニシャライズ時にＣＰＵ３０によりＥＥＰＲＯＭ３２から読み出され、デジタル信号としてＤＳＰ４に出力される。このＤＳＰ４は、プリセットのＥＱ特性データ３２Ｃを示すデジタル信号を入力し、この入力したプリセットのＥＱ特性データ３２Ｃに基いて、オーディオデータに基く再生音の各周波数帯域のレベルを調整する。
【００３３】
ところで、ＣＤ２１に記録されているオーディオデータを再生するに当たって、音楽のジャンルやレーベル、更には、車室内の音響特性によって適した音質調整が異なるものである。従って、ＤＳＰ４においてプリセットのＥＱ特性データ３２Ｃに基いて音質を調整しても、その音楽及び車室内に適した音質が得られるとは限らない。
【００３４】
従って、本実施形態において、音質調整装置２０は、ＣＤ２１に記録されているオーディオデータに基く再生音の音質を、再生音楽及び車室内に適するように調整するものである。
【００３５】
具体的には、音質調整装置２０は、ＣＤドライブ２に挿入されたＣＤ２１に、オーディオデータのほかに、適正イコライジング特性データ（以下、「適正ＥＱ特性データ」という）２１Ａが記録されている場合に、このＣＤ２１のオーディオデータに基く再生音の音質を、再生音楽及び車室内に適するように調整するものである。この適正ＥＱ特性データ２１Ａは、音の反響や減衰がない理想的な室内環境下でオーディオデータを再生した際に適した音質となるように設定されている。
【００３６】
この適正ＥＱ特性データ２１Ａは、ヘッダ情報としてＣＤ２１に記録されるものである。そして、このようなヘッダ情報が記録されている場合は、ヘッダ情報がオーディオデータを読み取るのに先立て読み取られることとなる。
【００３７】
図３は、ＣＤドライブ２にＣＤ２１が挿入された場合におけるＣＰＵ３０の制御処理動作を示すフローチャートである。
【００３８】
まず、ＣＤ２１がＣＤドライブ２に挿入された場合（ステップＳ１）、ＣＰＵ３０は、ＣＤ２１に適正ＥＱ特性データ２１Ａが記録されているか否かを判断する（ステップＳ２）。具体的には、ＣＰＵ３０は、ＣＤドライブ２がＣＤ２１から適正ＥＱ特性データ２１Ａを読み取ったか否かを判断する。
【００３９】
ステップＳ２において、ＣＤ２１に適正ＥＱ特性データ２１Ａが記録されている場合（ステップＳ１；Ｙｅｓ）、つまり、ＣＤドライブ２がＣＤ２１から適正ＥＱ特性データ２１Ａを読み取った場合、ＣＰＵ３０は、ＥＥＰＲＯＭ３２に実室内音響特性データ３２Ａが記憶されているか否かを判断する（ステップＳ３）。
【００４０】
ＥＥＰＲＯＭ３２に実室内音響特性データ３２Ａが記憶されている場合（ステップＳ３；Ｙｅｓ）、ＣＰＵ３０は、ＥＥＰＲＯＭ３２から実室内音響特性データ３２Ａを読み出す（ステップＳ４）。
【００４１】
ここで、挿入されたＣＤ２１に記録されているオーディオデータに基く再生音の音質を、適正ＥＱ特性データ２１Ａに基いて調整した場合、車室内において適正な音質が得られるとは限らない。
【００４２】
そこで、本実施形態では、ＣＤ２１に、適正ＥＱ特性データ２１Ａとが記録されている場合、実室内音響特性データ３２Ａに基いて、ＣＤ２１から読み取った適正ＥＱ特性データ２１Ａを補正し、この補正後の適正ＥＱ特性データ（以下、「補正用適正ＥＱ特性データ」という）をＤＳＰ４に出力するものである。
【００４３】
詳述すると、まず、ＣＰＵ３０は、ＣＤ２１から読み取った適正ＥＱ特性データ２１ＡとＥＥＰＲＯＭ３２から読み取った実室内音響特性データ３２Ａとの差分を算出する（ステップＳ５）。そして、ＣＰＵ３０は、この差分演算結果を補正用適正ＥＱ特性データとする（ステップＳ６）。
【００４４】
ここで、図４は、適正ＥＱ特性データ２１Ａと実室内音響特性データ３２Ａの周波数特性の一例を示す説明図であり、図５は、差分演算結果である補正用適正ＥＱ特性データＸの周波数特性を示す説明図である。
【００４５】
ＣＰＵ３０は、図４に示すように、適正ＥＱ特性データ２１Ａの各周波数成分と実室内音響特性データ３２Ａの各周波数成分との差分を演算する。つまり、ＣＰＵ３０は、適正ＥＱ特性データ２１Ａの各周波数成分から実室内音響特性データ３２Ａの各周波数成分を差し引いて、図５に示すような、補正用適正ＥＱ特性データＸを求めている。ＣＰＵ３０は、このように演算された補正用適正ＥＱ特性データＸをＲＡＭ３１に一時的に記憶させている。
【００４６】
次に、ＣＰＵ３０は、この補正用適正ＥＱ特性データＸをＤＳＰ４に出力する（ステップＳ７）。
【００４７】
この補正用適正ＥＱ特性データＸを入力したＤＳＰ４は、補正用適正ＥＱ特性データＸに設定され、ＣＤ２１のオーディオデータに基く再生音の各周波数帯域のレベルを補正用適正ＥＱ特性データＸに基いて調整することで音質を調整する再生処理を行う（ステップＳ８）。
【００４８】
なお、このＣＤ２１のオーディオデータに基く再生が終了した場合、ＣＰＵ３０は、プリセットのＥＱ特性データ３２ＣをＤＳＰ４に出力し、ＤＳＰ４は、このプリセットのＥＱ特性データ３２Ｃに設定される。
【００４９】
従って、ＣＤ２１から読み出した適正ＥＱ特性データ２１Ａを、実室内音響特性データ３２Ａに基いて補正し、この補正後のＥＱ特性データである補正用適正ＥＱ特性データを、ＤＰＳ４に出力するようにしたので、再生音が出力される実際の車室内において、理想的な室内環境下で放音した場合と同等の音質を、ユーザが操作することなく自動的に得ることができる。
【００５０】
また、ステップＳ２において、ＣＤドライブ２に挿入されたＣＤに適正ＥＱ特性データが記録されていない場合（ステップＳ２；Ｎｏ）、ＤＳＰ４は、プリセットのＥＱ特性データ３２Ｃに基いてＣＤのオーディオデータに基く再生音の音質を調整する再生処理を行う（ステップＳ８）。
【００５１】
また、ステップＳ３において、ＥＥＰＲＯＭ３２に実室内音響特性データ３２Ａが記憶されていない場合（ステップＳ３；Ｎｏ）、ＣＰＵ３０は、ＣＤに記録されているオーディオデータに対応した音楽種類データがＣＤに記録されているか否かを判断する（ステップＳ９）。
【００５２】
ＣＤに記録されているオーディオデータに対応した音楽種類データがＣＤに記録されている場合（ステップＳ９；Ｙｅｓ）、ＣＰＵ３０は、このＣＤに記録されている音楽種類データを読み込み（ステップＳ１０）、この音楽種類データに対応する音楽別ＥＱ特性データを、ＥＥＰＲＯＭ３２のテーブルデータ３２Ｂから読み出す（ステップＳ１１）。そして、ＣＰＵ３０は、この音楽別ＥＱ特性データをＤＳＰ４に出力する（ステップＳ１２）。
【００５３】
これによって、ＤＳＰ４は、この音楽別ＥＱ特性データを入力し、音楽別ＥＱ特性データに設定され、音楽別ＥＱ特性データに基いてＣＤのオーディオデータに基く再生音の音質を調整する再生処理を行う（ステップＳ８）。従って、ＣＤから読み出した音楽種類データ及び車室内環境に適した音質を、ユーザが音質調整装置２０を操作することなく自動的に得ることができる。
【００５４】
なお、このＣＤのオーディオデータに基く再生が終了した場合、ＣＰＵ３０は、プリセットのＥＱ特性データ３２ＣをＤＳＰ４に出力し、ＤＳＰ４は、このプリセットのＥＱ特性データ３２Ｃに設定される。
【００５５】
またステップＳ９において、音楽種類データがＣＤに記録されていない場合（ステップＳ９；Ｎｏ）、ＣＰＵ３０は、ＣＤから読み取った適正ＥＱ特性データをＤＳＰ４に出力する（ステップＳ１３）。
【００５６】
これによって、ＤＳＰ４は、この適正ＥＱ特性データを入力し、適正ＥＱ特性データに設定され、適正ＥＱ特性データに基いてＣＤのオーディオデータに基く再生音の音質を調整する再生処理を行う（ステップＳ８）。
【００５７】
以上、本実施形態によれば、ＣＰＵ３０が、ＣＤ２１に、再生するオーディオデータに対応する適正ＥＱ特性データ２１Ａが記録されているか否かを判断し、適正ＥＱ特性データ２１Ａが記録されている場合、ＣＤ２１から読み取った適正ＥＱ特性データ２１Ａの各周波数成分から実室内音響特性データの各周波数成分を減算して調整に用いる補正用適正ＥＱ特性データを算出することとしたので、読み出した適正ＥＱ特性データ２１Ａが車室内に対応した補正用適正ＥＱ特性データに補正され、ＤＳＰ４がこの補正用適正ＥＱ特性データを用いて音質を調整することとなるので、ユーザが操作することなく自動的に音質を適正にすることができる。
【００５８】
以上、一実施形態に基づいて本発明を説明したが、本発明は、これに限定されるものではない。
【００５９】
例えば、上記実施形態では、車載オーディオ装置１に音質調整装置２０を適用した場合について説明したが、車室内に限らず、建物の室内に設置されるオーディオ装置においても適用することが可能である。
【００６０】
また、上記実施形態では、ＣＤに適正ＥＱ特性データが記録されていない場合、ＤＳＰ４は、プリセットのＥＱ特性データに基いて音質を調整するようにしたが、これに限るものではなく、ＣＤに適正ＥＱ特性データが記録されておらず、ＣＤのオーディオデータに対応した音楽種類データが記録されている場合、ＤＳＰ４は、ＣＤに記録されている音楽種類データに対応した音楽別ＥＱ特性データに基いて音質を調整するようにしてもよい。これによって、より適正に音質を調整することができる。
【００６１】
また、上記実施形態では、オーディオデータが記録されている記録媒体として、ＣＤ２１の場合について説明したが、これに限らず、オーディオデータが記録されている記録媒体が、ＤＶＤやＭＤ等の光ディスク、ハードディスク等の磁気ディスク、メモリカード等であってもよい。
【００６２】
また、上記実施形態では、車載オーディオ装置１の制御プログラムをＥＥＰＲＯＭ３２に記憶している場合について説明したが、各種磁気ディスク、光ディスク、メモリカードなどの記録媒体に制御プログラムを予め記録し、これらの記録媒体から読み込み、インストールするように構成することも可能である。また、通信インターフェースを設け、インターネット、ＬＡＮなどのネットワークを介して制御プログラムをダウンロードし、インストールして実行するように構成することも可能である。
【図面の簡単な説明】
【００６３】
【図１】本実施形態に係る車載オーディオ装置の機能的構成を示すブロック図である。
【図２】コントローラの構成を示すブロック図である。
【図３】ＣＰＵの制御処理動作を示すフローチャートである。
【図４】基準室内音響特性データ及び実室内音響特性データの周波数特性の一例を示す説明図である。
【図５】差分演算結果の周波数特性を示す説明図である。
【符号の説明】
【００６４】
１  車載オーディオ装置（オーディオ装置）
４  ＤＳＰ（調整手段）
１１  コントローラ
２０  音質調整装置
２１  ＣＤ（記録媒体）
２１Ａ  適正イコライジング特性データ
３０  ＣＰＵ（判断手段、算出手段）
【図１】
2005341186.tif 000003
【図２】
2005341186.tif 000004
【図３】
2005341186.tif 000005
【図４】
2005341186.tif 000006
【図５】
2005341186.tif 000007